(57)【要約】【課題】アラーム機能を設定できる情報端末装置において、アラーム機能を設定した後に情報端末装置の使用の利便性を高めるようにする。【解決手段】情報端末装置のアラーム機能を設定する（Ｓ１）。次に、情報端末装置を使用して後、情報端末装置を放置しておくと、画面遷移を伴わないので（Ｓ２）、情報端末装置のタイマーが起動し（Ｓ３）、一定時間、例えば５分間画面遷移がないことが判定されたら（Ｓ４）、情報端末装置の画面上にアラーム機能で設定した設定内容を待ち受け画面、スクリーンセーバとして表示させる（Ｓ５）。こうすることによって、設定したアラーム内容をアラーム機能の中に入ってわざわざ見る必要がなく、一目でアラーム設定内容を確認することができるので、情報端末装置の使用の利便性、信頼性を高めることができ、システムの信頼性を確実に向上させることができる。【選択図】図３
2005309910.tif 000002
【特許請求の範囲】
【請求項１】
画像を表示させる画像表示部と、機器に関する機器情報を収集する情報送受信部を備えた情報端末装置とからなり、前記情報端末装置でアラーム機能を設定した後、ある時間経過すると前記アラーム機能の設定値を前記画像表示部に表示させることを特徴とする情報システム。
【請求項２】
画像を表示させる画像表示部と、機器に関する機器情報を収集する情報送受信部を備えた情報端末装置と、前記情報端末装置との間で情報を送受信する情報処理サーバ装置とからなり、前記情報端末装置でアラーム機能を設定した後、前記設定値を前記情報処理サーバ装置に送信し、ある時間経過すると前記アラーム機能の設定値を前記画像表示部に表示させることを特徴とする情報システム。
【請求項３】
画像を表示させる画像表示部と、音声を再生させる音声再生部と、機器に関する機器情報を収集する情報送受信部を備えた情報端末装置とからなり、前記情報端末装置でアラーム機能を設定した後、ある時間経過すると前記アラーム機能の設定値を前記情報端末装置の画像表示部に表示し、前記設定値になった時に前記画像表示部で表示し前記音声再生部を用いて音声で知らせることを特徴とする情報システム。
【請求項４】
画像を表示させる画像表示部と、音声を再生させる音声再生部と、機器に関する機器情報を収集する情報送受信部を備えた情報端末装置とからなり、前記情報端末装置でアラーム機能を設定した後、ある時間経過すると前記アラーム機能の設定値を前記画像表示部に表示し、前記設定値になった時に前記画像表示部で表示し前記音声再生部を用いて音声で知らせ、前記設定値にもとづいて前記機器を動作させることを特徴とする情報システム。
【請求項５】
画像を表示させる画像表示部と、音声を再生させる音声再生部と、機器に関する機器情報を収集する情報送受信部を備えた情報端末装置と、前記情報端末装置との間で情報を送受信する情報処理サーバ装置とからなり、前記情報端末装置でアラーム機能を設定した後、前記設定値を前記情報処理サーバ装置に送信し、ある時間経過すると前記アラーム機能の設定値を前記画像表示部に表示し、前記設定値になった時に前記画像表示部で表示し前記音声再生部を用いて音声で知らせ、前記情報処理サーバ装置を介して外部に知らせることを特徴とする情報システム。
【請求項６】
画像を表示させる画像表示部と、機器に関する機器情報を収集する情報送受信部とを備えた情報端末装置からなる情報システムの制御方法において、前記情報端末装置でアラーム機能を設定するステップと、ある時間経過し前記情報端末装置が使用されていないかどうかを判定するステップと、ある時間前記情報端末装置が使用されていなければ前記アラーム機能の設定値を前記画像表示部に表示させるステップと、を備えてなる制御方法。
【請求項７】
画像を表示させる画像表示部と、機器に関する機器情報を収集する情報送受信部とを備えた情報端末装置と、情報を送受信する情報処理サーバ装置とからなる情報システムの制御方法において、前記情報端末装置でアラーム機能を設定するステップと、前記設定値を前記情報処理サーバ装置に送信するステップと、ある時間経過し前記情報端末装置が使用されていないかどうかを判定するステップと、ある時間前記情報端末装置が使用されていなければ前記アラーム機能の設定値を前記画像表示部に表示させるステップと、を備えてなる制御方法。
【請求項８】
画像を表示させる画像表示部と、音声を再生させる音声再生部と、機器に関する機器情報を収集する情報送受信部とを備えた情報端末装置とからなる情報システムの制御方法において、前記情報端末装置でアラーム機能を設定するステップと、ある時間経過し前記情報端末装置が使用されていないかどうかを判定するステップと、ある時間前記情報端末装置が使用されていなければ前記アラーム機能の設定値を前記画像表示部に表示させるステップと、前記設定値になった時に前記画像表示部で表示し前記音声再生部を用いて音声で知らせるステップと、を備えてなる制御方法。
【請求項９】
画像を表示させる画像表示部と、音声を再生させる音声再生部と、機器に関する機器情報を収集する情報送受信部とを備えた情報端末装置とからなる情報システムの制御方法において、前記情報端末装置でアラーム機能を設定するステップと、ある時間経過し前記情報端末装置が使用されていないかどうかを判定するステップと、ある時間前記情報端末装置が使用されていなければ前記アラーム機能の設定値を前記画像表示部に表示させるステップと、前記設定値になった時に前記画像表示部で表示し前記音声再生部を用いて音声で知らせるステップと、前記設定値にもとづいて前記機器を動作させるステップと、を備えてなる制御方法。
【請求項１０】
画像を表示させる画像表示部と、音声を再生させる音声再生部と、機器に関する機器情報を収集する情報送受信部とを備えた情報端末装置と、情報を送受信する情報処理サーバ装置とからなる情報システムの制御方法において、前記情報端末装置でアラーム機能を設定するステップと、前記設定値を前記情報処理サーバ装置に情報を送信するステップと、ある時間経過し前記情報端末装置が使用されていないかどうかを判定するステップと、ある時間前記情報端末装置が使用されていなければ前記アラーム機能の設定値を前記画像表示部に表示させるステップと、前記設定値になった時に前記画像表示部で表示し前記音声再生部を用いて音声で知らせるステップと、前記情報処理サーバ装置を介して外部に知らせるステップと、を備えてなる制御方法。
【請求項１１】
コンピュータに、情報端末装置にアラーム機能を設定した後、ある時間経過すると設定値を表示させ、前記設定値になった時に画面や音声、機器、情報処理サーバを用いて知らせるものとして機能させるためのプログラム。
【発明の詳細な説明】
【技術分野】
【０００１】
本発明は、家庭内の１つまたは複数の機器の情報を収集し、情報処理サーバと情報の送受信を行うことができる情報端末装置で、前記情報端末装置のアラーム機能設定表示に関する情報システム、制御方法およびそのプログラムに関するものである。
【背景技術】
【０００２】
従来、親機である情報端末装置はアラーム機能等の設定値を変更するとそのまま装置内のメモリーに格納し、それを使用者が確認するためには、再度設定した画面に入る必要がある（例えば、特許文献１参照）。その方法としては、情報端末装置のトップメニューからアラーム機能の画面に入り、さらにそのアラーム機能の条件を設定する画面に入り、その設定画面においてのみ設定させるものである。
【０００３】
また最近では、アラーム機能の条件を設定する画面に入り、その設定値を設定した後、情報端末装置の画面のトップメニューにおいて、その画面の端にその設定値を表示させるものもある。
【特許文献１】特開２０００−２５９２７２号公報
【発明の開示】
【発明が解決しようとする課題】
【０００４】
しかしながら、前記従来の構成では、アラーム機能を設定した後、その設定値を確認するためには、その設定画面を表示させないとその設定内容が見られないという欠点がある。また、その設定値になったかどうかはそのアラーム機能の設定画面に入らないと、その他の機能を表示した画面からはわからないという課題もある。
【０００５】
さらに、アラーム機能の条件を設定する画面に入り、その設定値を設定した後、情報端末装置の画面のトップメニューにおいて、その画面の端にその設定値を表示させた構成でも、トップメニュー上の端なので字が小さく見にくい、その他の機能の画面に入ってしまうとその設定内容は表示されないのでわからないという欠点がある。すなわち、その設定値を見るためにはその設定画面にわざわざ入っていかないと見ることができないという課題がある。
【０００６】
本発明は、このような課題を解決するために、画像を表示させる画像表示部と、音声を再生させる音声再生部と、機器に関する機器情報を収集する情報送受信部を備えた情報端末装置において、この情報端末装置でアラーム機能を設定した後、ある時間経過するとこのアラーム機能で設定した設定値を情報端末装置の画像表示部に表示させることによって、情報端末装置のアラーム機能の使用の利便性を高めるようにしたものである。このようにすることによって、アラーム機能でどのような設定値を設定したかが、わざわざ設定画面にまで入らずに一目でわかり、簡単に確認することができ、情報端末装置のアラーム機能の使用の利便性を高めることができる。
【０００７】
このようにして、本発明はアラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができるようにした情報システム、制御方法およびそのプログラムを提供することを目的とするものである。
【課題を解決するための手段】
【０００８】
前記従来の課題を解決するために、本発明の情報システムは、画像を表示させる画像表示部と、音声を再生させる音声再生部と、機器に関する機器情報を収集する情報送受信部を備えた情報端末装置と、前記情報端末装置との間で情報を送受信する情報処理サーバ装置とからなり、前記情報端末装置でアラーム機能を設定した後、前記アラーム機能の設定値を前記情報処理サーバ装置に情報を送信し、ある時間経過すると前記設定値を前記情報端末装置の画像表示部に表示し、前記設定値になった時に前記画像表示部で表示し前記音声再生部を用いて音声で知らせ、前記情報処理サーバ装置を介して外部に知らせることを特徴とする情報システムを提供するものである。
【０００９】
また、本発明の制御方法は、画像を表示させる画像表示部と、音声を再生させる音声再生部と、機器に関する機器情報を収集する情報送受信部と、情報を送受信する情報処理サーバ装置とを備えた情報端末装置とからなる情報システムの制御方法において、前記情報端末装置でアラーム機能を設定するステップと、前記アラーム機能の設定値を前記情報処理サーバ装置に情報を送信するステップと、ある時間経過し前記情報端末装置が使用されていないかどうかを判定するステップと、ある時間前記情報端末装置が使用されていなければ前記設定値を前記画像表示部に表示させるステップと、前記設定値になった時に前記画像表示部で表示し前記音声再生部を用いて音声で知らせるステップと、前記情報処理サーバ装置を介して外部に知らせるステップと、を備えてなる制御方法を提供するものである。
【００１０】
すなわち、本発明は、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、情報端末装置の使用の利便性を高めるようにしたものである。
【００１１】
また、その設定値をサーバー装置に送信したり、設定値になった時に情報端末装置から音声で知らせることによって、情報端末装置の使用の利便性・信頼性を高めるようにしたものである。さらに、設定値になった時に外部に通報することによって知らせることも可能となる。
【００１２】
以上のような構成とすることにより、本発明によれば、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができるようにしたものである。従って、情報端末装置の使用の利便性、信頼性を高めることができるものである。
【発明の効果】
【００１３】
以上のように、本発明の情報システム、制御方法およびそのプログラムによれば、画像を表示させる画像表示部と、音声を再生させる音声再生部と、機器に関する機器情報を収集する情報送受信部を備えた情報端末装置と、前記情報端末装置との間で情報を送受信する情報処理サーバ装置とからなり、情報端末装置でアラーム機能を設定した後、この設定値を情報処理サーバ装置に情報を送信し、情報端末装置を使用しない時間がある程度経過するとこの設定値を情報端末装置の画像表示部に表示し、この設定値になった時に画像表示部で表示し音声再生部を用いて音声で知らせ、情報処理サーバ装置を介して外部に知らせることによって、情報端末装置の使用の利便性、信頼性を高めるようにしたものである。
【００１４】
すなわち、本発明は、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、情報端末装置の使用の利便性を高める効果を有するものである。
【００１５】
また、情報端末装置においてアラーム機能を設定した後、情報端末装置を使用していない時間がある程度経過したら、その設定したアラーム設定値を情報端末装置の画面上に表示させるので、使用者がいつアラーム機能を設定したかをすぐ確認することができ、使用者に常に注意喚起を促すことができる。さらにアラーム機能の設定時刻になった時に機器を動作させることによって、情報端末装置の近くにいなくてもその時刻になったことを即座に認識することができ、情報端末装置の利便性を高めることができるものである。
【００１６】
また、その設定値をサーバー装置に送信することによって、設定値のバックアップを取っておくことができ、外部からもその設定値を見ることができるようにしたものである。さらに、設定値になった時に情報端末装置から音声で知らせたり、外部に通報することによって、情報端末装置の近くに居なくても明確にはっきりと知らせることができるという効果を有するものである。
【００１７】
以上のような構成とすることにより、本発明によれば、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、さらに、その設定値をサーバー装置に送信することによって、設定値のバックアップを取っておくことができ、設定値になった時に情報端末装置から音声で知らせたり、外部に通報することによって、情報端末装置の近くに居なくても明確にはっきりと知らせることができるものである。従って、情報端末装置の使用の利便性、信頼性を高めることができ、システムの信頼性を確実に向上させることができるという効果を有するものである。
【発明を実施するための最良の形態】
【００１８】
第１の発明は、画像を表示させる画像表示部と、機器に関する機器情報を収集する情報送受信部を備えた情報端末装置とからなり、前記情報端末装置でアラーム機能を設定した後、ある時間経過すると前記設定値を前記情報端末装置の画像表示部に表示させることを特徴とする情報システムを提供するものである。
【００１９】
これによって、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、情報端末装置の使用の利便性、信頼性を高めることができるものである。
【００２０】
第２の発明は、画像を表示させる画像表示部と、機器に関する機器情報を収集する情報送受信部を備えた情報端末装置と、前記情報端末装置との間で情報を送受信する情報処理サーバ装置とからなり、前記情報端末装置でアラーム機能を設定した後、前記設定値を前記情報処理サーバ装置に情報を送信し、ある時間経過すると前記設定値を前記情報端末装置の画像表示部に表示させることを特徴とする情報システムを提供するものである。
これによって、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、情報端末装置の使用の利便性、信頼性を高めることができるものである。さらに、その設定値をサーバー装置に送信することによって、設定値のバックアップを取っておくことができ、設定値になった時に情報端末装置から音声で知らせることによって、情報端末装置の近くに居なくても明確にはっきりと知らせることができ、情報端末装置の使用の利便性、信頼性を高めることができるものである。
【００２１】
第３の発明は、画像を表示させる画像表示部と、音声を再生させる音声再生部と、機器に関する機器情報を収集する情報送受信部を備えた情報端末装置とからなり、前記情報端末装置でアラーム機能を設定した後、ある時間経過すると前記設定値を前記情報端末装置の画像表示部に表示し、前記設定値になった時に前記画像表示部で表示し前記音声再生部を用いて音声で知らせることを特徴とする情報システムを提供するものである。
【００２２】
これによって、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができる。
【００２３】
第４の発明は、画像を表示させる画像表示部と、音声を再生させる音声再生部と、機器に関する機器情報を収集する情報送受信部を備えた情報端末装置とからなり、前記情報端末装置でアラーム機能を設定した後、ある時間経過すると前記設定値を前記情報端末装置の画像表示部に表示し、前記設定値になった時に前記画像表示部で表示し前記音声再生部を用いて音声で知らせ、前記設定値にもとづいて前記機器を動作させることを特徴とする情報システムを提供するものである。
【００２４】
これによって、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、さらに設定時刻になった時に機器を動作させることによって、情報端末装置の近くにいなくてもその時刻になったことを即座に認識することができ、利便性を高めることができるものである。
【００２５】
第５の発明は、画像を表示させる画像表示部と、音声を再生させる音声再生部と、機器に関する機器情報を収集する情報送受信部を備えた情報端末装置と、前記情報端末装置との間で情報を送受信する情報処理サーバ装置とからなり、前記情報端末装置でアラーム機能を設定した後、前記設定値を前記情報処理サーバ装置に情報を送信し、ある時間経過すると前記設定値を前記情報端末装置の画像表示部に表示し、前記設定値になった時に前記画像表示部で表示し前記音声再生部を用いて音声で知らせ、前記情報処理サーバ装置を介して外部に知らせることを特徴とする情報システムを提供するものである。
【００２６】
これによって、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、さらに、その設定値をサーバー装置に送信することによって、設定値のバックアップを取っておくことができ、設定値になった時に情報端末装置から音声で知らせ、外部にも知らせることによって、情報端末装置の近くに居なくても明確にはっきりと知らせることができ、情報端末装置の使用の利便性、信頼性を高めることができるものである。
【００２７】
第６の発明は、画像を表示させる画像表示部と、機器に関する機器情報を収集する情報送受信部とを備えた情報端末装置とからなる情報システムの制御方法において、前記情報端末装置でアラーム機能を設定するステップと、ある時間経過し前記情報端末装置が使用されていないかどうかを判定するステップと、ある時間前記情報端末装置が使用されていなければ前記設定値を前記画像表示部に表示させるステップと、を備えてなる制御方法を提供するものである。
【００２８】
これによって、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、情報端末装置の使用の利便性、信頼性を高めることができるものである。
【００２９】
第７の発明は、画像を表示させる画像表示部と、機器に関する機器情報を収集する情報送受信部とを備えた情報端末装置と、情報を送受信する情報処理サーバ装置とからなる情報システムの制御方法において、前記情報端末装置でアラーム機能を設定するステップと、前記設定値を前記情報処理サーバ装置に情報を送信するステップと、ある時間経過し前記情報端末装置が使用されていないかどうかを判定するステップと、ある時間前記情報端末装置が使用されていなければ前記設定値を前記画像表示部に表示させるステップと、を備えてなる制御方法を提供するものである。
【００３０】
これによって、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、情報端末装置の使用の利便性、信頼性を高めることができるものである。
【００３１】
第８の発明は、画像を表示させる画像表示部と、音声を再生させる音声再生部と、機器に関する機器情報を収集する情報送受信部とを備えた情報端末装置とからなる情報システムの制御方法において、前記情報端末装置でアラーム機能を設定するステップと、ある時間経過し前記情報端末装置が使用されていないかどうかを判定するステップと、ある時間前記情報端末装置が使用されていなければ前記設定値を前記画像表示部に表示させるステップと、前記設定値になった時に前記画像表示部で表示し前記音声再生部を用いて音声で知らせるステップと、を備えてなる制御方法を提供するものである。
【００３２】
これによって、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、さらに、設定値になった時に情報端末装置から音声で知らせることによって、情報端末装置の近くに居なくても明確にはっきりと知らせることができ、情報端末装置の使用の利便性、信頼性を高めることができるものである。
【００３３】
第９の発明は、画像を表示させる画像表示部と、音声を再生させる音声再生部と、機器に関する機器情報を収集する情報送受信部とを備えた情報端末装置とからなる情報システムの制御方法において、前記情報端末装置でアラーム機能を設定するステップと、ある時間経過し前記情報端末装置が使用されていないかどうかを判定するステップと、ある時間前記情報端末装置が使用されていなければ前記設定値を前記画像表示部に表示させるステップと、前記設定値になった時に前記画像表示部で表示し前記音声再生部を用いて音声で知らせるステップと、前記設定値にもとづいて前記機器を動作させるステップと、を備えてなる制御方法を提供するものである。
【００３４】
これによって、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、さらに、設定値になった時に情報端末装置から音声で知らせ、機器を動作させることによって、情報端末装置の近くに居なくても明確にはっきりと知らせることができ、情報端末装置の使用の利便性、信頼性を高めることができるものである。
【００３５】
第１０の発明は、画像を表示させる画像表示部と、音声を再生させる音声再生部と、機器に関する機器情報を収集する情報送受信部とを備えた情報端末装置と、情報を送受信する情報処理サーバ装置とからなる情報システムの制御方法において、前記情報端末装置でアラーム機能を設定するステップと、前記設定値を前記情報処理サーバ装置に情報を送信するステップと、ある時間経過し前記情報端末装置が使用されていないかどうかを判定するステップと、ある時間前記情報端末装置が使用されていなければ前記設定値を前記画像表示部に表示させるステップと、前記設定値になった時に前記画像表示部で表示し前記音声再生部を用いて音声で知らせるステップと、前記情報処理サーバ装置を介して外部に知らせるステップと、を備えてなる制御方法を提供するものである。
【００３６】
これによって、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、さらに、その設定値をサーバー装置に送信することによって、設定値のバックアップを取っておくことができ、設定値になった時に情報端末装置から音声で知らせ、外部にも知らせることによって、情報端末装置の近くに居なくても明確にはっきりと知らせることができ、情報端末装置の使用の利便性、信頼性を高めることができるものである。
【００３７】
第１１の発明は、前記情報端末装置にアラーム機能を設定した後、ある時間経過すると設定値を表示させ、前記設定値になった時に画面や音声、機器、情報処理サーバを用いて知らせるものとして機能させるためのプログラムを提供するものである。
【００３８】
そして、プログラムであるので、電気・情報機器、コンピュータ、サーバー等のハードリソースを協働させて本発明の情報システム、制御方法の少なくとも一部を容易に実現することができる。また記録媒体に記録したり通信回線を用いてプログラムを配信したりすることでプログラムの配布・更新やそのインストール作業が簡単にできる。
【００３９】
以上のように、本発明によれば、画像を表示させる画像表示部と、音声を再生させる音声再生部と、機器に関する機器情報を収集する情報送受信部を備えた情報端末装置と、前記情報端末装置との間で情報を送受信する情報処理サーバ装置とからなり、前記情報端末装置でアラーム機能を設定した後、前記設定値を前記情報処理サーバ装置に情報を送信し、ある時間経過すると前記設定値を前記情報端末装置の画像表示部に表示し、前記設定値になった時に前記画像表示部で表示し前記音声再生部を用いて音声で知らせ、前記情報処理サーバ装置を介して外部に知らせることによって、情報端末装置の使用の利便性、信頼性を高めるようにしたものである。
【００４０】
すなわち、本発明は、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、情報端末装置の使用の利便性を高めるようにしたものである。
【００４１】
情報端末装置においてアラーム機能を設定した後、情報端末装置を使用していない時間がある程度経過したら、その設定したアラーム設定値を情報端末装置の画面上に表示させるので、使用者がいつアラーム機能を設定したかをすぐ確認することができ、使用者に常に注意喚起を促すことができる。さらにアラーム機能の設定時刻になった時に機器を動作させることによって、情報端末装置の近くにいなくてもその時刻になったことを即座に認識することができ、情報端末装置の利便性を高めることができるものである。
【００４２】
また、その設定値をサーバー装置に送信することによって、設定値のバックアップを取っておくことができ、外部からもその設定値を見ることができるようにしたものである。さらに、設定値になった時に情報端末装置から音声で知らせたり、外部に通報することによって、情報端末装置の近くに居なくても明確にはっきりと知らせることができるようにしたものである。
【００４３】
以下、本発明の実施の形態について、図面を参照しながら説明する。なお、この実施の形態によって本発明が限定されるものではない。
【００４４】
（実施の形態１）
図１は、本発明の第１の実施の形態における情報システムのシステム全体を概略的に示す構成説明図を示すものである。以下に本実施の形態における構成を説明する。
【００４５】
図１に示す本実施の形態の情報システムは、各家庭１００に設置された冷蔵庫１５、エアコン１６等の家電機器と人感センサ１７や開閉センサ１８等のセンサ機器を無線通信によって接続した情報端末装置１と、情報端末装置１を外部と接続するための回線接続手段４、外部のネットワークである宅外回線網１２、電話等の外部の通信装置１１、情報処理サーバ装置１０とから成る。この時の情報端末装置１の通信回線網は情報通信回線網であるデータ通信回線網１３と電話回線網である音声通信回線網１４とから成っている。
【００４６】
本情報システムは、各家電機器等と無線通信によって接続されており、各機器からの情報収集を行い、各機器へのデータ送信を行う。これらの収集された情報や入力部によって入力されたデータ等を処理し、データ通信回線網、回線接続手段および宅外回線網を経由して外部にあるセンターサーバ装置および電話等の外部の通信装置と送受信することができるものである。
【００４７】
具体的には、通信機器の送受信は、アナログ電話回線網を用いて回線接続手段であるモデム、スプリッター等を介してＩＳＰ（インターネットサービスプロバイダ）にダイヤルアップ接続（ＰＰＰ接続）し、そこから宅外回線網（ＷＥＢ）を通じてセンターサーバ装置にＴＣＰ／ＩＰ接続することができるものである。また、別のブロードバンドであるＡＤＳＬ回線網を用いてデータ通信回線網、回線接続手段を介して直接にセンターサーバ装置にＡＤＳＬ接続することもできるものである。さらに、通信機器の送受信の接続回線網はＦＴＴＨのような光ファイバー網でもよい。
【００４８】
また、端末機器は給湯器、温水利用システム、ガスメータ、電力メータ、水道メータ等でもよい。
【００４９】
このような情報システムにおいて、画像を表示させる画像表示部と、音声を再生させる音声再生部と、機器に関する機器情報を収集する情報送受信部を備えた情報端末装置と、情報端末装置との間で情報を送受信する情報処理サーバ装置とからなり、情報端末装置でアラーム機能を設定した後、情報端末装置を使用しない時間がある程度経過するとこの設定値を情報端末装置の画像表示部に表示することによって、情報端末装置の使用の利便性、信頼性を高めるようにしたものである（詳細は図２を使って後述する）。
【００５０】
例えば、情報端末装置においてアラーム機能を設定して、翌日の８：００ＡＭにアラームを鳴らすようにセットしたとすると、情報端末装置を使用していない時間がある程度例えば１０分経過したら、その設定したアラーム設定値（翌日の８：００ＡＭ）を情報端末装置の画面上に表示させるので、使用者がいつアラーム機能を設定したかをすぐ確認することができ、使用者に常に注意喚起を促すことができ、情報端末装置の使用の利便性を高めるようにしたものである。
【００５１】
すなわち、本発明は、アラーム機能の設定値を設定した後、情報端末装置の画面がどの機能を表示していても、情報端末装置を使用していない時間がある時間、例えば１分経過すると、アラーム機能で設定した設定値を情報端末装置の画面に待ち受け画面、スクリーンセーバとして表示させることによって、アラーム機能でどのような設定値を設定したかを一目で確認することができ、情報端末装置の使用の利便性を高める効果を有するものである。
【００５２】
以上のような構成とすることにより、本発明によれば、アラーム機能の設定値を設定した後、情報端末装置の画面がどの機能を表示していても、情報端末装置を使用していない時間がある時間経過すると、アラーム機能で設定した設定値を情報端末装置の画面に待ち受け画面、スクリーンセーバとして表示させることによって、アラーム機能でどのような設定値を設定したかを一目で確認することができるものである。従って、情報端末装置の使用の利便性、信頼性を高めることができ、システムの信頼性を確実に向上させることができるというものである。
【００５３】
例えば、情報端末装置のアラーム機能として３日後の１２：００ＡＭに友人との約束をセットしたとすると、セットした後に別の機能を使用するためにアラーム機能を閉じて家電制御機能を使用していた後、情報端末装置を使用していない時間が５分以上経過すると、アラーム機能としてどのような内容がセットされているかを待ち受け画面、スクリーンセーバとして表示することによって、わざわざアラーム機能を表示させることなく、一目でアラーム機能に設定した内容を確認することができるものである。
【００５４】
このようにすることによって、アラーム機能設定後において情報端末装置は、アラーム機能の設定内容を待機画面・スクリーンセーバ画面として表示することでき、アラーム機能を表示させることなくその設定内容を容易に確認することができるものである。
【００５５】
次に本実施の形態の情報端末装置について図面を参照しながら説明する。図２は本発明の第１の実施の形態で用いる情報端末装置の機能ブロック図を示すものである。以下に本実施の形態における構成を説明する。
【００５６】
図２に示す本実施の形態の情報端末装置１は、データ通信処理部２３、音声通信処理部２４、情報処理部２５、情報収集部２６、情報送信部２７、情報送受信部２８、タイマー部３０、表示装置としての液晶パネル３１、音声再生部としてのスピーカ３２とから構成されている。
【００５７】
本情報端末装置１は、各家電機器等と無線通信２９によって接続されており、各機器からの情報収集を情報収集部２６によって行い、各機器へのデータ送信を情報送信部２７によって行う。これらの収集された情報等は情報処理部２５によって処理し、データ通信処理部２３を用いて、ルーター２、回線接続手段３を経由して外部に送受信することができる。この時の通信回線網はＡＤＳＬ等のデータ通信回線網２０である。
【００５８】
また、情報送受信部２８を用いてセンサ機器からの情報を送受信した後、そのセンサからの異常緊急情報を情報処理部２５で処理し、外線電話に電話をかけ音声通信処理部２４を用いて外線電話と通信を行う。
【００５９】
このような情報端末装置１において、アラーム機能を設定した後、情報端末装置１の液晶パネル３１の画面遷移が全く起こっていない状態であれば、タイマー部３０が起動し、５分以上画面遷移がないと判定されると、液晶パネル３１の画面上に待ち受け画面、スクリーンセーバとしてアラーム機能で設定した内容を表示することができ、アラーム機能の内容を確認するとめに、わざわざアラーム機能を見る必要がなく、情報端末装置の使用の利便性を高めるようしたものである。
【００６０】
以上のような構成とすることにより、本発明によれば、アラーム機能の設定値を設定した後、情報端末装置の画面がどの機能を表示していても、情報端末装置を使用していない時間がある時間経過すると、アラーム機能で設定した設定内容を情報端末装置の画面に待ち受け画面、スクリーンセーバとして表示させることによって、アラーム機能でどのような設定値を設定したかを一目で確認することができるものである。従って、情報端末装置の使用の利便性、信頼性を高めることができ、システムの信頼性を確実に向上させることができるというものである。
【００６１】
次に、本実施の形態の制御方法について図面を参照しながら説明する。図３は同実施の形態に係るシステムの処理手順を示すフローチャートを示すものである。以下に本実施の形態におけるフローを説明する。
【００６２】
まず、情報端末装置が通常通り使用可能な状態で、情報端末装置のアラーム機能に５日後の１３：００に集合する内容を設定する（ステップＳ１）。次に、情報端末装置を使用して後、情報端末装置を放置しておくと、画面遷移を伴わないので（ステップＳ２）、情報端末装置のタイマーが起動し（ステップＳ３）、一定時間、例えば５分間画面遷移がないことが判定されたら（ステップＳ４）、情報端末装置の画面上にアラーム機能で設定した設定内容を待ち受け画面、スクリーンセーバとして表示させる（ステップＳ５）。
【００６３】
こうすることによって、設定したアラーム内容をアラーム機能の中に入ってわざわざ見る必要がなく、一目でアラーム設定内容を確認することができるので、情報端末装置の使用の利便性、信頼性を高めることができ、システムの信頼性を確実に向上させることができる。
【００６４】
以上のような構成・処理手順とすることにより、本発明によれば、アラーム機能設定後において情報端末装置は、情報端末装置を使用していない時間がある程度経過するとアラーム機能の設定内容を待機画面・スクリーンセーバ画面として表示することでき、わざわざアラーム機能を表示させることなくその設定内容を容易に確認することができるものである。従って、情報端末装置の使用の利便性、信頼性を高めることができ、システムの信頼性を確実に向上させることができるものである。
【００６５】
（実施の形態２）
実施の形態２の情報システムについて説明する。以下に本実施の形態における構成を説明する。
【００６６】
本実施の形態の情報システムは、図１と同様に各家庭１００に設置された家電機器とセンサ機器を無線通信によって接続した情報端末装置１と、情報端末装置１を外部と接続するための回線接続手段４、外部のネットワークである宅外回線網１２、電話等の外部の通信装置１１、情報処理サーバ装置１０とから成る。この時の情報端末装置１の通信回線網は情報通信回線網であるデータ通信回線網１３と電話回線網である音声通信回線網１４とから成っている。
【００６７】
本情報システムは、各家電機器等と無線通信によって接続されており、各機器からの情報収集を行い、各機器へのデータ送信を行う。これらの収集された情報や入力部によって入力されたデータ等を処理し、データ通信回線網、回線接続手段および宅外回線網を経由して外部にあるセンターサーバ装置および通信装置と送受信することができるものである。
【００６８】
このような情報システムにおいて、アラーム機能の設定値を設定した後、その設定データを情報処理サーバに送信し、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、情報端末装置の使用の利便性、信頼性を高めるようにしたものである。
【００６９】
すなわち、本発明は、画像を表示させる画像表示部と、音声を再生させる音声再生部と、機器に関する機器情報を収集する情報送受信部を備えた情報端末装置と、前記情報端末装置との間で情報を送受信する情報処理サーバ装置とからなり、情報端末装置でアラーム機能を設定した後、この設定値を情報処理サーバ装置に情報を送信し、情報端末装置を使用しない時間がある程度経過するとこの設定値を情報端末装置の画像表示部に表示することによって、情報端末装置の使用の利便性、信頼性を高めるようにしたものである。
【００７０】
例えば、情報端末装置においてアラーム機能を設定して、４日後の１０：００ＡＭにアラームを鳴らすようにセットしたとすると、情報端末装置を使用していない時間がある程度例えば１０分経過したら、その設定したアラーム設定値（４日後の１０：００ＡＭ）を情報端末装置の画面上に待ち受け画面、スクリーンセーバとして表示させるので、使用者がいつアラーム機能を設定したかをすぐ確認することができ、使用者に常に注意喚起を促すことができ、情報端末装置の使用の利便性を高めるようにしたものである。
【００７１】
また、アラーム設定時に設定した内容、例えば、何月何日にどのような内容のアラームを鳴らすか、その時の音声は何か等を情報処理サーバ装置に即座に送信することができるようにしたものである。
【００７２】
以上のような構成とすることにより、本発明によれば、アラーム機能の設定値を設定した後、その設定内容を情報処理サーバに送信し、情報端末装置の画面がどの機能を表示していても、情報端末装置を使用していない時間がある時間経過すると、アラーム機能で設定した設定値を情報端末装置の画面に待ち受け画面、スクリーンセーバとして表示させることによって、アラーム機能でどのような設定値を設定したかを一目で確認することができるものである。従って、情報端末装置の使用の利便性、信頼性を高めることができ、システムの信頼性を確実に向上させることができるというものである。
【００７３】
例えば、情報端末装置のアラーム機能として４日後の８：００ＡＭにごみ出しをセットしたとすると、セットした後に別の機能を使用するためにアラーム機能を閉じて家電制御機能を使用していた後、情報端末装置を使用していない時間が５分以上経過すると、アラーム機能としてどのような内容がセットされているかを待ち受け画面、スクリーンセーバとして表示することによって、わざわざアラーム機能を表示させることなく、一目でアラーム機能に設定した内容を確認することができるものである。
【００７４】
このようにすることによって、アラーム機能設定後において情報端末装置は、アラーム機能の設定内容を待機画面・スクリーンセーバ画面として表示することでき、アラーム機能を表示させることなくその設定内容を容易に確認することができるものである。
【００７５】
次に、本実施の形態の制御方法について説明する。以下に本実施の形態におけるフローを説明する。
【００７６】
まず、図３と同様に情報端末装置が通常通り使用可能な状態で、情報端末装置のアラーム機能に５日後の１３：００に集合する内容を設定する（ステップＳ１）。その設定内容はデータ通信回線網を経由して情報処理サーバに送信される。次に、情報端末装置を使用して後、情報端末装置を放置しておくと、画面遷移を伴わないので（ステップＳ２）、情報端末装置のタイマーが起動し（ステップＳ３）、一定時間、例えば５分間画面遷移がないことが判定されたら（ステップＳ４）、情報端末装置の画面上にアラーム機能で設定した設定内容を待ち受け画面、スクリーンセーバとして表示させる（ステップＳ５）。
【００７７】
こうすることによって、設定したアラーム内容をアラーム機能の中に入ってわざわざ見る必要がなく、一目でアラーム設定内容を確認することができ、また設定内容を情報処理サーバに送信するので、情報端末装置でそのアラーム内容が消失してもサーバから読み出すことができ、情報端末装置の使用の利便性、信頼性を高めることができ、システムの信頼性を確実に向上させることができる。
【００７８】
以上のような構成・処理手順とすることにより、本発明によれば、アラーム機能設定後において情報端末装置は、情報端末装置を使用していない時間がある程度経過するとアラーム機能の設定内容を待機画面・スクリーンセーバ画面として表示することでき、わざわざアラーム機能を表示させることなくその設定内容を容易に確認することができるものである。また、設定内容を情報処理サーバに送信するので、情報端末装置でアラーム設定内容が消失してもサーバから読み出すことができるものである。従って、情報端末装置の使用の利便性、信頼性を高めることができ、システムの信頼性を確実に向上させることができるものである。
【００７９】
（実施の形態３）
実施の形態３の情報システムについて説明する。以下に本実施の形態における構成を説明する。
【００８０】
本実施の形態の情報システムは、図１と同様に各家庭１００に設置された家電機器とセンサ機器を無線通信によって接続した情報端末装置１と、情報端末装置１を外部と接続するための回線接続手段４、外部のネットワークである宅外回線網１２、電話等の外部の通信装置１１、情報処理サーバ装置１０とから成る。この時の情報端末装置１の通信回線網は情報通信回線網であるデータ通信回線網１３と電話回線網である音声通信回線網１４とから成っている。
【００８１】
本情報システムは、各家電機器等と無線通信によって接続されており、各機器からの情報収集を行い、各機器へのデータ送信を行う。これらの収集された情報や入力部によって入力されたデータ等を処理し、データ通信回線網、回線接続手段および宅外回線網を経由して外部にあるセンターサーバ装置および通信装置と送受信することができるものである。
【００８２】
このような情報システムにおいて、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、この設定値になった時に情報端末装置の画面に表示し、かつ音声で知らせることによって、情報端末装置の使用の利便性、信頼性を高めるようにしたものである。
【００８３】
すなわち、本発明は、画像を表示させる画像表示部と、音声を再生させる音声再生部と、機器に関する機器情報を収集する情報送受信部を備えた情報端末装置と、前記情報端末装置との間で情報を送受信する情報処理サーバ装置とからなり、情報端末装置でアラーム機能を設定した後、情報端末装置を使用しない時間がある程度経過するとこの設定値を情報端末装置の画像表示部に表示し、この設定値になった時に情報端末装置の画面に表示し、かつ音声で知らせることによって、情報端末装置の使用の利便性、信頼性を高めるようにしたものである。
【００８４】
例えば、情報端末装置においてアラーム機能を設定して、２日後の７：００ＡＭにアラームを鳴らすようにセットしたとすると、情報端末装置を使用していない時間がある程度例えば１０分経過したら、その設定したアラーム設定値（２日後の７：００ＡＭ）を情報端末装置の画面上に待ち受け画面、スクリーンセーバとして表示させるので、使用者がいつアラーム機能を設定したかをすぐ確認することができ、使用者に常に注意喚起を促すことができ、情報端末装置の使用の利便性を高めるようにしたものである。
【００８５】
また、アラーム設定時になった時、情報端末装置の画面にポップアップ画面として設定内容を表示し、かつ音声を鳴らすことによって、使用者が情報端末装置の近くに居なくてもその音を聞き、また画面を見ることによって、そのアラーム内容を認識することができるようにしたものである。
【００８６】
以上のような構成とすることにより、本発明によれば、アラーム機能の設定値を設定した後、情報端末装置の画面がどの機能を表示していても、情報端末装置を使用していない時間がある時間経過すると、アラーム機能で設定した設定値を情報端末装置の画面に待ち受け画面、スクリーンセーバとして表示させることによって、アラーム機能でどのような設定値を設定したかを一目で確認することができるものである。また、この設定値になった時に情報端末装置の画面に表示し、かつ音声で知らせることによって、情報端末装置の近くに居なくてもアラームを耳で確認することができ、かつ画面を見て目で確認することができる。従って、情報端末装置の使用の利便性、信頼性を高めることができ、システムの信頼性を確実に向上させることができるというものである。
【００８７】
例えば、情報端末装置のアラーム機能として２日後の７：００ＰＭに来客予定をセットしたとすると、セットした後に別の機能を使用するためにアラーム機能を閉じて家電制御機能を使用していた後、情報端末装置を使用していない時間が５分以上経過すると、アラーム機能としてどのような内容がセットされているかを待ち受け画面、スクリーンセーバとして表示することによって、わざわざアラーム機能を表示させることなく、一目でアラーム機能に設定した内容を確認することができるものである。さらに、そのアラーム設定時になるとポップアップ画面と音声で知らせることができるので、すぐにアラーム設定内容を認識することができる。
【００８８】
このようにすることによって、アラーム機能設定後において情報端末装置は、アラーム機能の設定内容を待機画面・スクリーンセーバ画面として表示することでき、アラーム機能を表示させることなくその設定内容を容易に確認することができ、さらにアラームを鳴らす時になったら、ポップアップ画面と音声で知らせることができるものである。
【００８９】
次に、本実施の形態の制御方法について図面を参照しながら説明する。図４は同実施の形態に係るシステムの処理手順を示すフローチャートを示すものである。以下に本実施の形態におけるフローを説明する。
【００９０】
まず、情報端末装置が通常通り使用可能な状態で、情報端末装置のアラーム機能に７日後の１３：００に来客予定の内容を設定する（ステップＳ１１）。次に、情報端末装置を使用して後、情報端末装置を放置しておくと、画面遷移を伴わないので（ステップＳ１２）、情報端末装置のタイマーが起動し（ステップＳ１３）、一定時間、例えば５分間画面遷移がないことを判定すると（ステップＳ１４）、情報端末装置の画面上にアラーム機能で設定した設定内容を待ち受け画面、スクリーンセーバとして表示させる（ステップＳ１５）。
【００９１】
こうすることによって、設定したアラーム内容をアラーム機能の中に入ってわざわざ見る必要がなく、一目でアラーム設定内容を確認することができるので、情報端末装置の使用の利便性、信頼性を高めることができ、システムの信頼性を確実に向上させることができる。
【００９２】
さらに、設定値である７日後の１３：００になると（ステップ１６）、情報端末装置の画面上に設定値を表示するポップアップ画面を表示し、音声で外部に知らせる（ステップ１７）。こうすることによって、情報端末装置の近くに居なくても音声でアラームであることを認識し、画面を見ることによってそのアラーム内容を判断することができる。
【００９３】
以上のような構成・処理手順とすることにより、本発明によれば、アラーム機能設定後において情報端末装置は、情報端末装置を使用していない時間がある程度経過するとアラーム機能の設定内容を待機画面・スクリーンセーバ画面として表示することでき、わざわざアラーム機能を表示させることなくその設定内容を容易に確認することができ、さらに、アラームをならす時になったら、情報端末装置から音声をならし画面上にポップアップ画面を表示することによって、すぐにそのアラーム内容を認識することができるものである。従って、情報端末装置の使用の利便性、信頼性を高めることができ、システムの信頼性を確実に向上させることができるものである。
【００９４】
（実施の形態４）
実施の形態４の情報システムについて説明する。以下に本実施の形態における構成を説明する。
【００９５】
本実施の形態の情報システムは、図１と同様に各家庭１００に設置された家電機器と人感センサ１７やセンサ機器を無線通信によって接続した情報端末装置１と、情報端末装置１を外部と接続するための回線接続手段４、外部のネットワークである宅外回線網１２、電話等の外部の通信装置１１、情報処理サーバ装置１０とから成る。この時の情報端末装置１の通信回線網は情報通信回線網であるデータ通信回線網１３と電話回線網である音声通信回線網１４とから成っている。
【００９６】
本情報システムは、各家電機器等と無線通信によって接続されており、各機器からの情報収集を行い、各機器へのデータ送信を行う。これらの収集された情報や入力部によって入力されたデータ等を処理し、データ通信回線網、回線接続手段および宅外回線網を経由して外部にあるセンターサーバ装置および通信装置と送受信することができるものである。
【００９７】
このような情報システムにおいて、アラーム機能の設定値を設定した後、その設定データを情報処理サーバに送信し、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、この設定値になった時に情報端末装置の画面に表示し、かつ音声で知らせ、家電機器を制御させることによって、情報端末装置の使用の利便性、信頼性を高めるようにしたものである。
【００９８】
すなわち、本発明は、画像を表示させる画像表示部と、音声を再生させる音声再生部と、機器に関する機器情報を収集する情報送受信部を備えた情報端末装置と、前記情報端末装置との間で情報を送受信する情報処理サーバ装置とからなり、情報端末装置でアラーム機能を設定した後、この設定値を情報処理サーバ装置に情報を送信し、情報端末装置を使用しない時間がある程度経過するとこの設定値を情報端末装置の画像表示部に表示し、この設定値になった時に情報端末装置の画面に表示し、かつ音声で知らせ、家電機器を動作させることによって、情報端末装置の使用の利便性、信頼性を高めるようにしたものである。
【００９９】
例えば、情報端末装置においてアラーム機能を設定して、１０日後の１０：００ＰＭにアラームを鳴らすようにセットしたとすると、情報端末装置を使用していない時間がある程度例えば１０分経過したら、その設定したアラーム設定値（１０日後の１０：００ＰＭ）を情報端末装置の画面上に待ち受け画面、スクリーンセーバとして表示させるので、使用者がいつアラーム機能を設定したかをすぐ確認することができ、使用者に常に注意喚起を促すことができ、情報端末装置の使用の利便性を高めるようにしたものである。
【０１００】
また、アラーム設定時に設定した内容、例えば、何月何日にどのような内容のアラームを鳴らすか、その時の音声は何か等を情報処理サーバ装置に即座に送信することができるようにしたものである。さらに、アラーム設定時になった時、情報端末装置の画面にポップアップ画面として表示し、かつ音声を鳴らすことによって、使用者が情報端末装置の近くに居なくてもその音を聞き、また画面を見ることによって、そのアラーム内容を認識することができるようにしたものである。また、照明等の家電機器を動作させることによって、そのアラーム内容を認識することができるようにしたものである。
【０１０１】
以上のような構成とすることにより、本発明によれば、アラーム機能の設定値を設定した後、その設定内容を情報処理サーバに送信し、情報端末装置の画面がどの機能を表示していても、情報端末装置を使用していない時間がある時間経過すると、アラーム機能で設定した設定値を情報端末装置の画面に待ち受け画面、スクリーンセーバとして表示させることによって、アラーム機能でどのような設定値を設定したかを一目で確認することができるものである。
【０１０２】
また、この設定値になった時に情報端末装置の画面に表示し、かつ音声で知らせることによって、情報端末装置の近くに居なくてもアラームを耳で確認することができ、かつ画面を見て目で確認することができる。
【０１０３】
さらに、照明等の家電機器を動作させることによって、アラーム内容を認識することができる。従って、情報端末装置の使用の利便性、信頼性を高めることができ、システムの信頼性を確実に向上させることができるというものである。
【０１０４】
例えば、情報端末装置のアラーム機能として５日後の１０：００ＡＭに来客予定をセットしたとすると、セットした後に別の機能を使用するためにアラーム機能を閉じて家電制御機能を使用していた後、情報端末装置を使用していない時間が５分以上経過すると、アラーム機能としてどのような内容がセットされているか、その設定内容（５日後の１０：００ＡＭに来客予定）を待ち受け画面、スクリーンセーバとして表示することによって、わざわざアラーム機能を表示させることなく、一目でアラーム機能に設定した内容を確認することができるものである。
【０１０５】
また、アラーム設定時になった時、情報端末装置の画面にポップアップ画面として設定内容（本日１０：００ＡＭ来客予定）を表示し、かつ情報端末装置から音声（来客予定です）を鳴らすことによって、使用者が情報端末装置の近くに居なくてもその音を聞き、また画面を見ることによって、そのアラーム内容を認識することができるようにしたものである。
【０１０６】
さらに、その設定時刻なったとき例えばリビングの照明などの家電機器をＯＮすることによっても、そのアラーム内容を認識することができるようにしたものである。
【０１０７】
このようにすることによって、アラーム機能設定後において情報端末装置は、アラーム機能の設定内容を待機画面・スクリーンセーバ画面として表示することでき、アラーム機能を表示させることなくその設定内容を容易に確認することができ、さらにアラームを鳴らす時になったら、ポップアップ画面と音声と家電機器の制御で知らせることができるものである。
【０１０８】
次に、本実施の形態の制御方法について説明する。以下に本実施の形態におけるフローを説明する。
【０１０９】
まず、図４と同様に情報端末装置が通常通り使用可能な状態で、情報端末装置のアラーム機能に１０日後の１４：００に来客予定の内容を設定する（ステップＳ１１）。次に、情報端末装置を使用して後、情報端末装置を放置しておくと、画面遷移を伴わないので（ステップＳ１２）、情報端末装置のタイマーが起動し（ステップＳ１３）、一定時間、例えば５分間画面遷移がないことを判定すると（ステップＳ１４）、情報端末装置の画面上にアラーム機能で設定した設定内容（１０日後の１４：００に来客予定）を待ち受け画面、スクリーンセーバとして表示させる（ステップＳ１５）。こうすることによって、設定したアラーム内容をアラーム機能の中に入ってわざわざ見る必要がなく、一目でアラーム設定内容を確認することができるので、情報端末装置の使用の利便性、信頼性を高めることができ、システムの信頼性を確実に向上させることができる。
【０１１０】
さらに、設定値である１０日後の１４：００になると（ステップ１６）、情報端末装置の画面上に設定値を表示するポップアップ画面（本日１４：００に来客予定）を表示し、音声（来客です）で外部に知らせる（ステップ１７）。こうすることによって、情報端末装置の近くに居なくても音声でアラームであることを認識し、画面を見ることによってそのアラーム内容を判断することができる。さらに家電制御を行う、たとえばリビングの照明をつけることによって、アラーム内容を判断することができる。
【０１１１】
以上のような構成・処理手順とすることにより、本発明によれば、アラーム機能設定後において情報端末装置は、情報端末装置を使用していない時間がある程度経過するとアラーム機能の設定内容を待機画面・スクリーンセーバ画面として表示することでき、わざわざアラーム機能を表示させることなくその設定内容を容易に確認することができ、さらに、アラームをならす時になったら、情報端末装置から音声をならし画面上にポップアップ画面を表示させ、家電機器を制御することによって、すぐにそのアラーム内容を認識することができるものである。従って、情報端末装置の使用の利便性、信頼性を高めることができ、システムの信頼性を確実に向上させることができるものである。
【０１１２】
（実施の形態５）
実施の形態５の情報システムについて説明する。以下に本実施の形態における構成を説明する。
【０１１３】
本実施の形態の情報システムは、図１と同様に各家庭１００に設置された家電機器とセンサ機器を無線通信によって接続した情報端末装置１と、情報端末装置１を外部と接続するための回線接続手段４、外部のネットワークである宅外回線網１２、電話等の外部の通信装置１１、情報処理サーバ装置１０とから成る。この時の情報端末装置１の通信回線網は情報通信回線網であるデータ通信回線網１３と電話回線網である音声通信回線網１４とから成っている。
【０１１４】
本情報システムは、各家電機器等と無線通信によって接続されており、各機器からの情報収集を行い、各機器へのデータ送信を行う。これらの収集された情報や入力部によって入力されたデータ等を処理し、データ通信回線網、回線接続手段および宅外回線網を経由して外部にあるセンターサーバ装置および通信装置と送受信することができるものである。
【０１１５】
このような情報システムにおいて、アラーム機能の設定値を設定した後、その設定データを情報処理サーバに送信し、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、この設定値になった時に情報端末装置の画面に表示し、かつ音声で知らせ、また家の外部に知らせることによって、情報端末装置の使用の利便性、信頼性を高めるようにしたものである。
【０１１６】
すなわち、本発明は、画像を表示させる画像表示部と、音声を再生させる音声再生部と、機器に関する機器情報を収集する情報送受信部を備えた情報端末装置と、前記情報端末装置との間で情報を送受信する情報処理サーバ装置とからなり、情報端末装置でアラーム機能を設定した後、この設定値を情報処理サーバ装置に情報を送信し、情報端末装置を使用しない時間がある程度経過するとこの設定値を情報端末装置の画像表示部に表示し、この設定値になった時に情報端末装置の画面に表示し、かつ音声で知らせ、家の外部に知らせることによって、情報端末装置の使用の利便性、信頼性を高めるようにしたものである。
【０１１７】
例えば、情報端末装置においてアラーム機能を設定して、９日後の９：００ＰＭにアラームを鳴らすようにセットしたとすると、情報端末装置を使用していない時間がある程度例えば１０分経過したら、その設定したアラーム設定値（９日後の９：００ＰＭ）を情報端末装置の画面上に待ち受け画面、スクリーンセーバとして表示させるので、使用者がいつアラーム機能を設定したかをすぐ確認することができ、使用者に常に注意喚起を促すことができ、情報端末装置の使用の利便性を高めるようにしたものである。
【０１１８】
また、アラーム設定時に設定した内容、例えば、何月何日にどのような内容のアラームを鳴らすか、その時の音声は何か等を情報処理サーバ装置に即座に送信することができるようにしたものである。
【０１１９】
さらに、アラーム設定時になった時、情報端末装置の画面にポップアップ画面として表示し、かつ音声を鳴らすことによって、使用者が情報端末装置の近くに居なくてもその音を聞き、また画面を見ることによって、そのアラーム内容を認識することができるようにしたものである。また、そのサーバ装置を介して携帯電話に電子メールを送付することによって、そのアラーム内容を認識することができるようにしたものである。
【０１２０】
以上のような構成とすることにより、本発明によれば、アラーム機能の設定値を設定した後、その設定内容を情報処理サーバに送信し、情報端末装置の画面がどの機能を表示していても、情報端末装置を使用していない時間がある時間経過すると、アラーム機能で設定した設定値を情報端末装置の画面に待ち受け画面、スクリーンセーバとして表示させることによって、アラーム機能でどのような設定値を設定したかを一目で確認することができるものである。
【０１２１】
また、この設定値になった時に情報端末装置の画面に表示し、かつ音声で知らせることによって、情報端末装置の近くに居なくてもアラームを耳で確認することができ、かつ画面を見て目で確認することができる。
【０１２２】
さらに、そのサーバ装置を介して携帯電話に電子メールを送付したり、電話かけることによって、アラーム内容を認識することができる。従って、情報端末装置の使用の利便性、信頼性を高めることができ、システムの信頼性を確実に向上させることができるというものである。
【０１２３】
例えば、情報端末装置のアラーム機能として１２日後の１７：００に講演会予定をセットしたとすると、セットした後に別の機能を使用するためにアラーム機能を閉じて家電制御機能を使用していた後、情報端末装置を使用していない時間が５分以上経過すると、アラーム機能としてどのような内容がセットされているか、その設定内容（１２日後の１７：００に講演会予定）を待ち受け画面、スクリーンセーバとして表示することによって、わざわざアラーム機能を表示させることなく、一目でアラーム機能に設定した内容を確認することができるものである。
【０１２４】
また、アラーム設定時になった時、情報端末装置の画面にポップアップ画面として設定内容（本日１７：００講演会予定）を表示し、かつ情報端末装置から音声（講演会予定です）を鳴らすことによって、使用者が情報端末装置の近くに居なくてもその音を聞き、また画面を見ることによって、そのアラーム内容を認識することができるようにしたものである。
【０１２５】
さらに、その設定時刻なったとき携帯電話に電子メールや電話をかけることによって、家の外にいる場合でもそのアラーム内容を認識することができるようにしたものである。
【０１２６】
このようにすることによって、アラーム機能設定後において情報端末装置は、アラーム機能の設定内容を待機画面・スクリーンセーバ画面として表示することでき、アラーム機能を表示させることなくその設定内容を容易に確認することができ、さらにアラームを鳴らす時になったら、ポップアップ画面と音声と携帯電話への連絡とで知らせることができるものである。
【０１２７】
本実施の形態の制御方法について図面を参照しながら説明する。図５は同実施の形態に係るシステムの処理手順を示すものである。以下に本実施の形態におけるフローを説明する。
【０１２８】
まず、情報端末装置が通常通り使用可能な状態で、情報端末装置のアラーム機能に７日後の１３：００に来客予定の内容を設定する（ステップＳ２１）。次に、このアラーム情報の設定内容を、情報処理サーバに送信する（ステップＳ２２）ことによって、情報処理サーバに設定内容を記憶させる。情報端末装置を使用して後、情報端末装置を放置しておくと、画面遷移を伴わないので、情報端末装置のタイマーが起動し（ステップＳ２３）、一定時間、例えば５分間画面遷移がないことを判定すると（ステップＳ２４）、情報端末装置の画面上にアラーム機能で設定した設定内容を待ち受け画面、スクリーンセーバとして表示させる（ステップＳ２５）。
【０１２９】
こうすることによって、設定したアラーム内容をアラーム機能の中に入ってわざわざ見る必要がなく、一目でアラーム設定内容を確認することができるので、情報端末装置の使用の利便性、信頼性を高めることができ、システムの信頼性を確実に向上させることができる。
【０１３０】
さらに、設定値である７日後の１３：００になると（ステップ２６）、情報端末装置の画面上に設定値を表示するポップアップ画面を表示し、音声で外部に知らせる。さらに、家の内部の家電機器を動作させたり、携帯電話に電子メールや電話をかけることによって、外部に知らせる（ステップ２７）。
【０１３１】
こうすることによって、情報端末装置の近くに居なくても情報端末装置や携帯電話でアラームであることを認識し、情報端末装置の画面や携帯電話を聞いたり、メールを見ることによってそのアラーム内容を判断することができる。
【０１３２】
以上のような構成・処理手順とすることにより、本発明によれば、アラーム機能設定後において情報端末装置は、情報端末装置を使用していない時間がある程度経過するとアラーム機能の設定内容を待機画面・スクリーンセーバ画面として表示することでき、わざわざアラーム機能を表示させることなくその設定内容を容易に確認することができ、さらに、アラームをならす時になったら、情報端末装置から音声をならし画面上にポップアップ画面を表示することによって、すぐにそのアラーム内容を認識することができるものである。また、携帯電話に電話をかけたり、電子メールを送付することによっても、そのアラーム内容を外部に居ても認識することが可能である。従って、情報端末装置の使用の利便性、信頼性を高めることができ、システムの信頼性を確実に向上させることができるものである。
【０１３３】
なお、今までの実施の形態ではブロードバンドのインターネット回線としてＡＤＳＬで説明したが、これに限らずあらゆる通信方式であってもよい。
【０１３４】
また、これらの情報端末装置、情報システム、制御方法を情報端末装置の情報処理部で行うためには、情報端末装置内のＣＰＵコンピュータに実行させるためのプログラムを記録したことを特徴とするコンピュータ読み取り可能な独自のプログラムが必要である。本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【０１３５】
以上のように、本発明にかかる情報システム、制御方法、およびそのプログラムは、アラーム機能の設定値を設定した後、情報端末装置の画面がどの機能を表示していても、情報端末装置を使用していない時間がある時間経過すると、アラーム機能で設定した設定値を情報端末装置の画面に表示させることによって、アラーム機能でどのような設定値を設定したかを一目で確認することができ、さらに、その設定値をサーバー装置に送信することによって、設定値のバックアップを取っておくことができ、設定値になった時に情報端末装置から音声で知らせたり、外部に通報することによって、情報端末装置の近くに居なくても明確にはっきりと知らせることができるので、情報端末装置の使用の利便性、信頼性を高めることができ、システムの信頼性を確実に向上させることができ、家庭内全てのネットワークシステムに対しても有用である。
【図面の簡単な説明】
【０１３６】
【図１】本発明の第１〜５の実施の形態に係る情報システム全体を概略的に示す構成説明図
【図２】同実施の形態で用いる情報端末装置の機能ブロック図
【図３】同実施の形態に係るシステムの処理手順を示すフローチャート
【図４】本発明の第３の実施の形態に係るシステムの処理手順を示すフローチャート
【図５】本発明の第５の実施の形態に係るシステムの処理手順を示す図
【符号の説明】
【０１３７】
１  情報端末装置
１０  情報処理サーバ装置
１１  通信装置
１３  データ通信回線網
１４  音声通信回線網
２３  データ通信処理部
２５  情報処理部
２８  情報送受信部
３０  タイマー部
３１  液晶パネル（画像表示部）
３２  スピーカ（音声再生部）
【図１】
2005309910.tif 000003
【図２】
2005309910.tif 000004
【図３】
2005309910.tif 000005
【図４】
2005309910.tif 000006
【図５】
2005309910.tif 000007